(57)【要約】【課題】  従来から存する金属製ざるの欠点を改良し、強度性とデザイン性を兼ね具えた製品とそれを製作するための製造法を提供する。【解決手段】  適当巾寸法を有する帯板を任意寸法の口径に曲折して縁枠材１を設ける工程、縁枠材の一側部に円弧状に曲折した内縁部２を形成し、この反対の他側部に垂直状の外縁部３を形成する工程、縁枠材の内縁部を円弧形状から水平面４および垂直面５の形状に形成する工程、前記縁枠材の内縁部２と外縁部３との間に網体６の外周縁部６'を配置する工程、この配置状態で前記縁枠材を加圧縮し、外縁部は弯曲部７内に網体の外周縁部を食い込ませ、内縁部は水平面から形成した垂直面部５の先端部５'を網体の外周面に密着させる工程、から成る金属製ざるの製造法で、網体の内周縁部には縁枠材の平面周縁部に水平面の傾斜部を形成し、網体の外周縁部には縁枠材の弯曲部を形成して成る金属製ざるである。【選択図】    図６
2006240641.tif 000002
【特許請求の範囲】
【請求項１】
適当巾寸法を有する帯板を任意寸法の口径に曲折して縁枠材を設ける工程、前記縁枠材の一側部に円弧状に曲折した内縁部を形成し、この反対の縁枠材の他側部に垂直状に曲折した外縁部を形成する工程、前記縁枠材の内縁部を円弧形状から水平面および垂直面に成る形状に形成する工程、前記形状の縁枠材の内縁部と外縁部との間に網体の外周縁部を配置する工程、かかる配置状態において前記縁枠材を加圧縮し、縁枠材の外縁部は曲折した弯曲部内に前記網体の外周縁部を食い込ませ、縁枠材の内縁部は水平面を傾斜方向に形成し垂直面部の先端部を網体の外周面に密着させる工程、から成る金属製ざるの製造法。
【請求項２】
適当巾寸法を有する帯板を任意寸法の口径に曲折しかつ溶着して縁枠材を設ける工程、前記縁枠材の一側部に円弧状に曲折した内縁部を形成し、この反対の縁枠材の他側部に垂直状に曲折した外縁部を形成する工程、前記縁枠材の内縁部を円弧形状から水平面および垂直面に成る形状に形成する工程、前記形状の縁枠材の内縁部と外縁部との間に網体の外周縁部を配置する工程、かかる配置状態において前記縁枠材を加圧縮し、縁枠材の外縁部は曲折した弯曲部内に前記網体の外周縁部を食い込ませ、縁枠材の内縁部は水平面を傾斜方向に形成した垂直面部の先端部を網体の外周面に密着させる工程、から成る金属製ざるの製造法。
【請求項３】
網体の内周縁部においては縁枠材の平面周縁部に水平面の傾斜部を形成し、網体の外周縁部においては縁枠材の弯曲部を形成して成ることを特徴とする金属製ざる。
【発明の詳細な説明】
【技術分野】
【０００１】
本発明は、金属製ざる及びざるの製造法に関するものである。
【背景技術】
【０００２】
従来から存する金属製ざるにおいてその上周縁部に固着する縁部材は、その内側部も外側部もともに円弧形状に形成することによって網体周縁部を固定する部材の強度を上げることを目的としていたため、単純な物品におけるデザイン性に欠ける弱みがあった。
【０００３】
また、金属製ざるには、網体周縁部に固定する縁部材の内側両側部を加圧して扁平形状に構成したものも普及しているが、これは強度性に難点はあるが、デザイン性に優れたものとなっていた。
【０００４】
金属製ざるに関する公知技術としては、例えば実開平５−９１５３５号や実公平７−１４１９３号のごときものが存するが、要部の構成としてはかなり複雑で製作コストのかかるものであった。
【０００５】
【特許文献１】実開平５−９１５３５号公報
【特許文献１】実公平７−１４１９３号公報
【発明の開示】
【発明が解決しようとする課題】
【０００６】
そこで、本発明は、従来から存する金属製ざるの欠点を改良し、強度性とデザイン性を兼ね具えて商品価値の優れた製品とそれを製作するための製造法を提供することを目的とするものである。
【課題を解決するための手段】
【０００７】
本発明は、適当巾寸法を有する帯板を任意寸法の口径に曲折して縁枠材を設ける工程、前記縁枠材の一側部に円弧状に曲折した内縁部を形成し、この反対の縁枠材の他側部に垂直状に曲折した外縁部を形成する工程、前記縁枠材の内縁部を円弧形状から水平面および垂直面に成る形状に形成する工程、前記形状の縁枠材の内縁部と外縁部との間に網体の外周縁部を配置する工程、かかる配置状態において前記縁枠材を加圧縮し、縁枠材の外縁部は円弧状に曲折した弯曲部内に前記網体の外周縁部を食い込ませ、縁枠材の内縁部は水平面の傾斜方向に形成した垂直面部の先端部を網体の外周面に密着させる工程、から成る金属製ざるの製造法である。
【０００８】
本発明はまた、網体の内周縁部において縁枠材の平面周縁部に水平面の傾斜部を形成し、網体の外周縁部において円弧状の弯曲面部を形成して成る金属製ざるである。
【発明の効果】
【０００９】
網体の周縁部において、縁枠材が、その内周縁部には水平の傾斜面部が、外周縁部には弯曲面部がそれぞれ形成されることにより、金網製ざるの全体においてその強度が十分発揮されるとともにデザイン性が優れたものとなり、両長所を採り入れたざる製品となる。
【００１０】
また、その製造コストは従来製品の製造コストと殆んど変わりがない。
【発明を実施するための最良の形態】
【００１１】
本発明に係る金属製ざるは、網体の内周縁部においては、縁枠材の平面周縁部に水平面の傾斜部が形成され、網体の外周縁部においては、円弧状の弯曲部が形成されるように成るものである。
【実施例】
【００１２】
第１工程
適当巾寸法を有する１枚の帯板を任意口径に曲折しかつ当接端面部を溶着して縁枠材１を用意する。（図１）
【００１３】
この帯板による縁枠材は、その全体を継目なしにプレス成形して用意してもよい。
【００１４】
第２工程
前記縁枠材１の一側部を円弧状に曲折した内縁部２を形成し、この反対側の縁枠材の他側部には垂直状に曲折した外縁部３を形成する。（図２）
【００１５】
第３工程
前記縁枠材１の内縁部２の形状を、円弧形状から水平面４および垂直面５から成る形状に形成する。（図３）
【００１６】
第４工程
前記縁枠材１の内縁部２と外縁部３との間に網体６の外周縁部６'を配置する。（図４）
【００１７】
拡大状態にある前記網体６は、それ自体の弾性力によって縁枠材１の内部に当接される。
【００１８】
第５工程
かかる配置状態において前記縁枠材１を加圧縮し、その外縁部３は円弧状に曲折することによってその弯曲部７内部に網体６の外周縁部６'を食い込ませ、またその内縁部２は水平面４を傾斜方向に形成するとともに垂直面部５の先端部５'を網体６の外周面に密着させる。（図５・図６）
【図面の簡単な説明】
【００１９】
【図１】本工程で使用する一部品の斜視図。
【図２】製造工程上の一部分の斜視図。
【図３】製造工程上の一部分の斜視図。
【図４】製造工程上の一部分の斜視図。
【図５】製造工程上の一部分の斜視図。
【図６】完成品の正断面図。
【符号の説明】
【００２０】
１                    縁枠材
２                    内縁部
３                    外縁部
４                    水平面部
５                    垂直面部
５'                  先端部
６                    網体
６'                  外周縁部
７                    弯曲部
【図１】
2006240641.tif 000003
【図２】
2006240641.tif 000004
【図３】
2006240641.tif 000005
【図４】
2006240641.tif 000006
【図５】
2006240641.tif 000007
【図６】
2006240641.tif 000008